(57)【特許請求の範囲】
【請求項１】
テレビジョン受像機用のコンバージェンスシステムであって、
コンバージェンス補正信号を発生させるよう、電源電圧から得られる、該電源電圧とは異なる所与の電圧によって作動するコンバージェンス補正回路と、
上記電源電圧へ接続された入力及び上記コンバージェンス補正回路に接続された出力を有し、上記電源電圧が所定範囲内にあるかどうかを監視して、上記電源電圧が所定範囲内にある場合に上記コンバージェンス補正回路の動作を許可状態にする信号を供給する電力検出回路とを含む、コンバージェンスシステム。
【請求項２】
上記電力検出回路は上記電源電圧の大きさが閾値電圧レベルを下回るとき上記コンバージェンス補正回路の動作を禁止する、請求項１記載のコンバージェンスシステム。
【請求項３】
上記コンバージェンス補正信号を受信しフィルタリングする前置増幅器をさらに有し、
上記前置増幅器は、電力を上記前置増幅器に供給するよう上記電源電圧を受け取る手段を有する、請求項２記載のコンバージェンスシステム。
【請求項４】
上記コンバージェンス回路は、上記電力検出回路から供給された上記信号の大きさに応じて上記前置増幅器の出力をグランドに切り換えることにより上記前置増幅器の出力を無効にする手段をさらに有する、請求項３記載のコンバージェンスシステム。
【請求項５】
上記前置増幅器によって供給される上記フィルタリングされたコンバージェンス補正信号を受信し増幅する電力増幅器をさらに有し、
上記電力増幅器は、電力を上記電力増幅器に供給するよう上記電源電圧を受け取る手段を有する、請求項３記載のコンバージェンスシステム。
【請求項６】
上記電源電圧から上記所与の電圧を獲得する手段をさらに有する、請求項１記載のコンバージェンスシステム。
【請求項７】
上記電源電圧から上記所与の電圧を獲得する手段は電圧レギュレータを含み、
上記所与の電圧の大きさは上記電源電圧の大きさよりも小さい、請求項６記載のコンバージェンスシステム。
【請求項８】
テレビジョン受像機内のコンバージェンスシステム用の電力検出回路であって、
電源へ接続され、電源電圧を受け取る手段と、
上記電源電圧が閾値レベルを上回るかどうかに従って選択された大きさを有する出力信号を発生させる手段とを有し、
上記コンバージェンスシステムは、
コンバージェンス補正信号を発生させる手段と、
上記電力検出回路へ接続され、上記出力信号を受信する入力と、
上記出力信号の大きさに応じて、上記コンバージェンス補正信号を発生させる手段を動作許可状態若しくは動作禁止状態にさせる手段とを有する、電力検出回路。
【請求項９】
上記出力信号は、上記電源電圧が対応した閾値を上回るときに第１の大きさを有し、それ以外の場合に第２の大きさを有する、請求項８記載の電力検出回路。
【請求項１０】
上記電源電圧が対応した閾値レベルを上回った後の所定の時間的遅延期間後に、上記出力信号の大きさを第２の大きさから第１の大きさに変更する手段をさらに有する請求項８記載の電力検出回路。
【請求項１１】
上記コンバージェンスシステムは上記コンバージェンス補正信号を受信しフィルタリングする前置増幅器をさらに有し、
上記前置増幅器は、電力を上記前置増幅器に供給するよう上記電源電圧を受け取る手段を有する、請求項１０記載の電力検出回路。
【請求項１２】
上記コンバージェンス回路は、上記出力信号の大きさに応じて上記前置増幅器の出力をグランドに切り換えることにより上記前置増幅器の出力を無効にする手段をさらに有する、請求項１１記載の電力検出回路。
【請求項１３】
上記コンバージェンスシステムは、上記前置増幅器によって供給される上記フィルタリングされたコンバージェンス補正信号を受信し増幅する電力増幅器をさらに有し、
上記電力増幅器は、電力を上記電力増幅器に供給するよう上記電源電圧を受け取る手段を有する、請求項１１記載の電力検出回路。
【請求項１４】
上記コンバージェンスシステムは、上記電源電圧より低い所与の電圧を上記電源電圧から獲得する手段をさらに有する、請求項８記載の電力検出回路。
【請求項１５】
上記所与の電圧を獲得する手段は電圧レギュレータを含む、請求項１４記載の電力検出回路。
【請求項１６】
上記所与の電圧は上記電力検出回路及び上記コンバージェンス補正回路に供給される、請求項１５記載の電力検出回路。
【請求項１７】
テレビジョン受像機内のコンバージェンスシステムに出力信号を供給する電力検出回路であって、
電源の正電位へ接続された電圧電位の入力ソースと、
上記電源の正電位から得られる電圧電位より低い基準電圧電位の基準ソースと、
上記入力ソースに接続された制御電極と、上記基準ソースに接続された入力電極と、出力電極とを有し、上記入力電極へ印加される上記基準電圧電位が上記出力電極で発生するように上記制御電極における上記入力ソースの電圧電位の大きさに応答して導通する第１のトランジスタと、
上記第１のトランジスタの導通状態に応答し、上記第１のトランジスタの導通状態の変化後の所定の時間後に上記出力信号をコンバージェンス回路に供給する遅延手段とを含む電力検出回路。
【請求項１８】
上記第１のトランジスタは、上記入力ソースの上記電圧電位が第１の所定の閾値レベルを上回るときに導通状態から非導通状態に変化する、請求項１７記載の電力検出回路。
【請求項１９】
上記遅延手段は上記第１のトランジスタの上記出力電極及び上記入力電極に接続された第１及び第２の端子を有するコンデンサを含む、請求項１８記載の電力検出回路。
【請求項２０】
上記出力信号は、上記コンデンサの上記第２の端子の電圧が第２の所定の閾値電圧を下回るときに動作許可状態にされる、請求項１９記載の電力検出回路。
【発明の詳細な説明】
発明の背景
本発明は、電力検出回路に係わり、特に、陰極線管と共に使用されるデジタルコンバージェンス（集中）システムと共に使用するための電力検出回路に関する。
集積回路（ＩＣ）及び増幅器のような電気部品は、一般的に、種々の電源電圧を部品に供給する電源装置に接続される。電源装置が何かの理由で故障したとき、電源から電源電圧を供給される電気部品は、電気部品の性質に応じて望ましくない結果を生ずる影響を常に受ける。
例えば、投写型テレビジョン陰極線管（ＣＲＴ）システムのようなテレビジョンシステムの場合には、典型的に、赤、緑、及び、青の各色毎に一つずつの三つのＣＲＴユニットが存在する。垂直ピンクッション歪みとして知られている表示アーティファクトを補正するため、コンバージェンスシステムはコンバージェンス補正波形又は信号を赤、青及び緑の各色用のＣＲＴユニットに供給するため利用される。これらのコンバージェンス補正信号は、垂直ピンクッション歪みの影響及び他の歪みを補正するので、線形な無歪み表示を維持するために有効である。典型的に、コンバージェンスシステムは、デジタルコンバージェンスＩＣと、前置増幅器（プリアンプ）と、電力増幅器（パワーアンプ）とを含む。デジタルコンバージェンスＩＣは、典型的には電流である補正信号を発生させ、この補正信号は信号の条件付けと差動増幅用のプリアンプに供給される。プレアンプは、コンバージェンスヨークコイルに結合される前に電力を増幅するパワーアンプに供給される出力電圧を発生する。プリアンプは、典型的に、１個以上の演算増幅器（オペアンプ）を含む。
デジタルコンバージェンスＩＣは、プリアンプ及びパワーアンプと共に、適切に機能するために複数の電源電圧を必要とする。例えば、デジタルコンバージェンスＩＣは、＋５Ｖ入力電圧を必要とし、プリアンプ及びパワーアンプは、＋１５Ｖ及び−１５Ｖの両方の電源電圧を必要とする。デジタルコンバージェンスＩＣが補正信号をプリアンプに供給している間に、ある種の理由からデジタルコンバージェンスＩＣへの＋５Ｖ入力が妨げられたとき、望ましくない影響が生じる。例えば、デジタルコンバージェンスＩＣは不適当な波形を発生し、これにより、パワーアンプは不適当な信号（例えば、直流成分を含む信号）によって誘導的に負荷が加えられ、過剰な熱を生成するので、パワーアンプを損傷若しくは破壊する可能性がある。
また、デジタルコンバージェンスＩＣが＋５Ｖ入力によって給電され、補正信号をプリアンプに供給している間に、＋１５Ｖ若しくは−１５Ｖのいずれか一方の電源電圧が妨げられたとき、望ましくない影響によって、プリアンプ又はパワーアンプは不適当な増幅信号を発生し、このため、コンバージェンスシステムのパワーアンプ又はそれ以外の部品が損傷若しくは破壊される。
発明の概要
コンバージェンス補正信号を発生させるコンバージェンス回路を含むコンバージェンスシステムにおいて使用するための電力検出回路が開示される。電力検出回路は、少なくとも一つの電源電圧を受け、その少なくとも一つの電源電圧が第１の閾値を上回るかどうかに従って選択された大きさを有する出力信号を発生させる。この出力信号はコンバージェンス回路に供給され、これにより、出力信号の大きさに応じてコンバージェンス補正信号は動作許可若しくは動作禁止状態にされる。
【図面の簡単な説明】
図１は、本発明による電力検出回路を含むコンバージェンスシステムのブロック図である。
図２は、図１のコンバージェンスシステムの電力検出回路の略構成図である。
好ましい実施例の詳細な説明
図１を参照するに、本発明による電力検出回路１５０を含むコンバージェンスシステム１００のブロック図が示されている。コンバージェンスシステム１００は、電源１０５と、電圧レギュレータ１０８と、電力検出回路１５０と、デジタルコンバージェンスＩＣ  １１０と、プリアンプ１２１と、パワーアンプ１２２とを含む。本発明において、電力検出回路１５０は、関連した電源電圧が適切なレベルで供給されるときに限り、デジタルコンバージェンスＩＣ  １１０を動作許可状態にさせるため利用される。
デジタルコンバージェンスＩＣ  １１０は、上記の如く、垂直ピンクッション歪み及びその他の歪みを補正するため使用される補正信号を発生させる。補正信号は、フィルタ若しくは処理された補正信号を供給するためプリアンプ１２１によって条件付けられ、次に、増幅された出力補正信号電圧を出力ピンＯＵＴに与えるため、パワーアンプ１２２によって増幅される。この増幅された出力電圧波形は、（図示しない）ＣＲＴユニットのコンバージェンスヨークコイルに印加される。
電源１０５は、正常動作時に、＋１５Ｖ及び−１５Ｖの定格値をそれぞれに有する電源電圧Ｖ１及びＶ２を供給する。当業者は、回路、信号、及び、負荷条件に依存して電源電圧Ｖ１及びＶ２に対し異なる値を選択できる。電圧Ｖ１及びＶ２は、プリアンプ１２１及びパワーアンプ１２２に給電するためこれらの装置に供給される。電圧Ｖ１及びＶ２は、電力検出回路１５０への入力として供給される。電圧Ｖ１は、電圧レギュレータ１０７への入力電圧としても供給され、電圧レギュレータ１０７は約＋５Ｖの大きさを有する出力電圧Ｖ３を得るため電圧Ｖ１を使用する。電圧Ｖ３は、デジタルコンバージェンスＩＣ  １１０を給電するためこのＩＣ  １１０に供給され、また、電力検出回路１５０にも供給される。電力検出回路１５０の出力電圧Ｖoutは、その出力端子がデジタルコンバージェンスＩＣ  １１０のイネーブル入力端子に接続される。
正常動作時に、電圧Ｖ１は所定の閾値を上回り、電圧Ｖ２は所定の閾値を下回る。本発明の一実施例において、これらの閾値は、通常、＋１２Ｖ及び−１２Ｖである。所定の閾値の実際の値は、回路、信号、及び、負荷条件に依存して変化する。本実施例において、電圧Ｖ１の正常な範囲は、約＋１２Ｖを上回り、典型的に、約＋１２Ｖと約＋１５Ｖの間に収まる。同様に、電圧Ｖ２の正常な範囲は、約−１２Ｖを下回り（すなわち、大きさは上回り）、典型的に、約−１２Ｖと約−１５Ｖの間に収まる。上記の各電圧が正常な範囲内に収まるとき、電力検出回路１５０は、約＋２．５Ｖの出力電圧ＶoutをデジタルコンバージェンスＩＣ  １１０のイネーブル入力端子に供給する。本発明では、電圧Ｖ２が約−１２Ｖの負側の閾値を超えるとき、説明の便宜上、閾値を下回ると表現する。上記の３種類の電圧の中の何れかの電圧の大きさが夫々の閾値を下回るとき、電力検出回路は、電圧Ｖoutを約＋２．５Ｖから略接地、すなわち、０Ｖまで変化させる。
デジタルコンバージェンスＩＣ  １１０は、電力検出回路１５０からのＶout信号を監視するためイネーブル入力端子に接続された（図示しない）比較器回路を用いて構成されているので、デジタルコンバージェンスＩＣ  １１０は、電圧Ｖoutが所定の最小電圧、例えば、約＋１．５Ｖを下回るときに停止する。一実施例において、デジタルコンバージェンスＩＣ  １１０は、電圧Ｖoutが約２．５Ｖ±１Ｖの範囲内に収まる限りＩＣ  １１０が動作許可状態（＝イネーブル）にされるように構成される。そのため、電圧Ｖoutが約＋１．５Ｖから約＋３．５Ｖの範囲内に収まる限り、デジタルコンバージェンスＩＣ  １１０は、動作許可状態にされる。ＩＣ  １１０が動作許可状態にされたとき、ＩＣ  １１０は、電流形式の補正信号をプリアンプ１２１に供給する。プリアンプ１２１は、入力補正信号電流のローパスフィルタリング及び差動増幅を行い、出力電圧信号をパワーアンプ１２２に供給する。電圧Ｖ１及びＶ２のいずれか一方が閾値を下回るとき、電圧Ｖoutは約＋２．５Ｖから約０Ｖに変更され、これにより、電圧Ｖoutが約１．５Ｖを下回ることが検出されたときに、ＩＣ  １１０が停止される。
一実施例において、ＩＣ  １１０は、例えば、高インピーダンスを維持したまま出力電流を零に切り換えることにより補正信号電流をプリアンプ１２１に供給するＩＣ  １１０の電流源を動作禁止状態にさせることにより停止される。ＩＣ  １１０は、プリアンプの出力を接地に切り換えることによってプリアンプ１２１の出力を弱めることにより停止するので、プリアンプ１２１は出力電圧をパワーアンプ１２２に供給しない。これにより、パワーアンプ１２２が有害なタイプの信号、例えば、増幅された信号をヨークインダクタンスコイルに供給したときにパワーアンプ１２２を破壊する恐れのある直流成分を含む信号を増幅することは防止される。直流成分は、正常動作中にパワーアンプ１２２に供給された信号の一部として注意深く制限されるが、ＩＣ  １１０に供給される入力電源電圧Ｖ３がＩＣ  １１０の動作許可状態中に妨げられた場合に、制限が無くなる。
例えば、正常動作中に、電圧Ｖ１が約＋１２Ｖの閾値を下回り、電圧Ｖoutが約＋２．５Ｖから約０Ｖまで降下し、ＩＣ  １１０が停止させられる場合を考える。この時点で、電圧Ｖ３は、短時間の間は約＋５Ｖの大きさを保ち続ける。その理由は、電圧レギュレータ１０８は出力電圧Ｖ３が影響されるまで入力電圧のかなりの量の変化を許容するからである。例えば、電圧Ｖ３は、電圧Ｖ１が約＋１０Ｖを下回るまで、約＋５Ｖで保持され続ける。本発明の場合に、ＩＣ  １１０は、電圧Ｖ３が降下し始める前に停止されるので、ＩＣ  １１０に印加された電圧Ｖ３が、ＩＣ  １１０が停止される前に上昇するという上記の問題点が回避される。
コンバージェンスシステム１００の始動中に、電圧Ｖ１、Ｖ２及びＶ３は、初期的に約０Ｖであり、その結果として、電圧Ｖoutは約０Ｖに一致する。電圧Ｖ１及びＶ２は、それぞれ、＋１５Ｖ及び−１５Ｖに向かって大きさが立ち上がり始める。電圧Ｖ１が約＋８Ｖに達するまで、電圧Ｖ３は０Ｖに一致する。電圧Ｖ１が約＋８Ｖに達したとき、電圧レギュレータ１０８は出力を得るために十分な入力電圧に達し、電圧Ｖ３は約０Ｖから約＋５Ｖまで増加する。電圧Ｖ１及びＶ２が、それぞれ、約＋１２Ｖ及び−１２Ｖの閾値電圧に達したとき、約５ミリ秒の遅延が開始される。５ｍｓの遅延後、Ｖoutは約０Ｖから約＋２．５Ｖに切り替わる。このように、指導中に、或いは、ＩＣ  １１０が０Ｖに切り替わるＶoutによって動作禁止状態にされた後、三つの電圧Ｖ１、Ｖ２及びＶ３がすべてそれぞれの閾値電圧に達してからＩＣ  １１０が動作許可状態にされるまでの間に約５ｍｓの遅延が得られる。
この遅延は、コンバージェンスシステム１００内のノイズによって各電圧Ｖ１、Ｖ２、Ｖ３がそれぞれの閾値を瞬時的に上回るときに、ＩＣ  １１０が誤って動作可能状態にされることを防止する。また、遅延は、電圧Ｖ１又はＶ２の中の少なくとも一方がそれぞれの閾値電圧の周辺に留まるときに、ＩＣ  １１０が連続的に動作許可状態と動作禁止状態にされることを防止する。
図２を参照するに、図１のコンバージェンスシステム１００の電力検出回路１５０の略構成図が示されている。回路１５０は、電圧Ｖ１、Ｖ２及びＶ３を入力させるため、それぞれの入力端子１５１、１５２及び１５３に接続される。回路１５０は、出力端子１５５に出力イネーブル電圧Ｖoutを発生し、この出力端子１５５はデジタルコンバージェンスＩＣ  １１０のイネーブル入力に接続される。回路１５０の入力端子１５１は、抵抗Ｒ１５を介して抵抗Ｒ１３及び抵抗Ｒ１６の端子に接続される。抵抗Ｒ１３の他の端子は接地され、抵抗Ｒ１６の他の端子は抵抗３１の端子及びｐｎｐ型トランジスタＱ１８のベースに接続される。
入力端子１５２は抵抗Ｒ１９を介して抵抗Ｒ１８の端子及びｎｐｎ型トランジスタＱ１９のベースに接続される。トランジスタＱ１９のエミッタは接地され、トランジスタＱ１９のコレクタは抵抗Ｒ３１を介してトランジスタＱ１８のベースに接続される。入力端子１５３は、抵抗Ｒ１８を介してトランジスタＱ１９のベース及び抵抗Ｒ１９の接合部と、トランジスタＱ１８のエミッタと、コンデンサＣ４２の端子と、ＩＣ  １１０の部品である抵抗Ｒ１１Ｃの端子とに接続される。
トランジスタＱ１８のコレクタは、抵抗Ｒ７０を介してダイオードＤ３のカソードとコンデンサＣ４２の接合部、及び、抵抗Ｒ７５に接続される。ダイオードＤ３のアノードは接地され、抵抗Ｒ７５の他の端子は、トランジスタＱ５のベースとコンデンサＣ４４の端子の接合部、並びに、抵抗Ｒ７６に接続され、抵抗Ｒ７６のもう一方の端子は接地される。トランジスタＱ５のエミッタは接地され、トランジスタＱ５のコレクタは出力端子１５５でデジタルコンバージェンスＩＣ  １１０のイネーブル入力に接続されると共に、ＩＣ  １１０の抵抗Ｒ１１Ｃ及びＲ２１Ｃの接合部に接続される。抵抗Ｒ２１Ｃのもう一方の端子は接地される。
一実施例において、電力検出回路１５０の構成部品及びパラメータの値は以下の通りである。
Ｒ１８＝５．１ＫΩ、Ｒ１９＝１２ＫΩ、Ｒ１５＝７．５ＫΩ、
Ｒ１６＝１０ＫΩ、Ｒ１３＝５．１ＫΩ、Ｒ３１＝１０ＫΩ、
Ｒ７０＝１００Ω、Ｒ７６＝３９ＫΩ、Ｒ７５＝３９ＫΩ、
Ｃ４２＝０．１５μＦ、Ｃ４４＝０．１５μＦ
トランジスタＱ１９は、好ましくは、ＭＰＳＡ２０タイプであり、トランジスタＱ５は、ＭＰＳＡ５５タイプであり、トランジスタＱ５はＭＰＳＡ２０タイプである。ダイオードＤ３はｄ１ｎ４１４８タイプである。ＩＣ  １１０内の抵抗Ｒ１１Ｃ、Ｒ２１Ｃは、いずれも１０ＫΩの値を有する。コンバージェンスシステム１００の電圧レギュレータ１０８は、タイプ７８０５電圧レギュレータであり、電源１０５はスイッチモード電源である。
電力検出回路１５０は、上記の機能を実現するように構成されることがわかる。正常動作中に、電力検出回路１５０において、電圧Ｖ３は電圧レギュレータから取得されるので、電圧Ｖ１又は電圧Ｖ２が正常な範囲から外れ、それぞれの閾値に接近し始める間に、電圧Ｖ３は比較的一定した＋５Ｖを保つ。電圧Ｖ３は、回路１５０によって基準として使用され、電圧Ｖ１及びＶ２はこの電圧Ｖ３に対して測定される。
電圧Ｖ１が約＋１２Ｖの閾値を下回るとき、抵抗Ｒ１５及び抵抗Ｒ１３から形成された分圧回路網によって生じる抵抗Ｒ１５の両端の電圧は、約＋５Ｖよりも下回り、これにより、トランジスタＱ１８にはバイアスが加えられると同時に、コンデンサＣ４２を短絡させ、かつ、トランジスタＱ５をターンオンさせる。トランジスタＱ５がターンオンされたとき、電圧Ｖoutはグランドまで引き下げられ、ＩＣ  １１０が動作禁止状態にされる。かくして、電圧Ｖ１が約＋１２Ｖの閾値を下回る場合に、ＩＣ  １１０は動作禁止状態にされる。
同様に、抵抗Ｒ１８及びＲ１９は、電圧Ｖ２を分割し、＋５Ｖ基準電圧Ｖ３と比較する分圧回路網を形成する。電圧Ｖ２が約−１２Ｖの閾値電圧に達することにより正常な範囲から外れたとき、トランジスタＱ１９のベースの電圧は、トランジスタＱ１９をターンオンさせ、これにより、トランジスタＱ１８がターンオンされる。上記の通り、トランジスタＱ１８をターンオンさせることは、最終的にＩＣ  １１０を動作禁止状態にさせることである。電圧Ｖ２の降下が電圧Ｖ１の降下、従って、電圧Ｖ１から得られる電圧Ｖ３の降下を意味しない場合であっても、電圧Ｖ２が閾値を下回る場合には、パワーアンプ１２０若しくはコンバージェンスシステム１００の他の構成部品に損傷が加わる恐れがあるので、ＩＣ  １１０を停止させることが有利である。
初期始動時に、コンデンサＣ４２は上記の遅延機能を実行する。上述の通り、電圧Ｖ１及びＶ２は、それぞれ＋１５Ｖ及び−１５Ｖに向かって大きさが立ち上がり始める。電圧Ｖ１が約＋８Ｖに達するまで、電圧Ｖ３は約０Ｖに一致する。電圧Ｖ１が約＋８Ｖに達したとき、電圧Ｖ３は約０Ｖから約＋５Ｖまで急速に上昇する。そのため、この時点でコンデンサＣ４２は充電されていないので、トランジスタＱ５は瞬時にターンオンする。しかし、この時点で、電圧Ｖ１及びＶ２は、未だ約＋１２Ｖ及び約−１２Ｖのそれぞれの閾値に達していないので、トランジスタＱ１８は依然としてオン状態のままである。したがって、トランジスタＱ１８は依然としてオン状態を保つので、コンデンサＣ４２は短絡され続け、コンデンサＣ４２は放電状態に保たれるので、トランジスタＱ５はオン状態を維持する。電圧Ｖ１及びＶ２が約＋１２Ｖ及び約−１２Ｖのそれぞれの閾値に到達したとき、トランジスタＱ１８及びＱ１９は共にターンオフする。この時点で、コンデンサＣ４２は充電を開始し、ダイオードＤ３に接続されたコンデンサＣ４２の端子における電位は、約＋５Ｖからグランドに向かう。ダイオードＤ３のカソードに接続されたコンデンサＣ４２の端子は、約＋５Ｖから、トランジスタＱ５がターンオフする約＋１．２Ｖまで電位が降下するのに約５ｍｓを必要とする。したがって、約５ｍｓの遅延後に、電圧Ｖoutは約０Ｖから約＋２．５Ｖまで切り替わる。
【図１】
0004100716.tif 000002
【図２】
0004100716.tif 000003